(57)【要約】      （修正有）【課題】所定の電池のサイズにおいて電流収集効率及び光電変換効率の向上を図った太陽電池を提供する。【解決手段】受光面を有する基板３１と、電極ユニット３３とを備え、電極ユニットは、受光面に平行に且つ受光面の中心点を通る中央直線に沿って延伸配置された第１のバスバー電極３４と、中央直線の両側に平行に延伸配置された２つの第２のバスバー電極３５と、中央直線の両側に設けられた２つのフィンガー電極ユニット３６と、を有し、２つのフィンガー電極ユニットは受光面の中心点に対して点対称に配置され、フィンガー電極ユニットの各々は互いに平行に線状に延伸形成された複数のフィンガー電極を有し、フィンガー電極の各々は、第１のバスバー電極及び２つの第２のバスバー電極の一方に連結されている第１のフィンガー電極部３６１を有し、第１のフィンガー電極部の各々は、第１及び第２のバスバー電極に対して直角を除く角度で傾くように配置されている。【選択図】図２
0003189986.tif 000002
【実用新案登録請求の範囲】
【請求項１】
受光面とする第１の表面を有する基板と、
前記基板の前記第１の表面に平行に且つ前記第１の表面の中心点を通る中央直線に沿って延伸されるように配置された第１のバスバー電極と、それぞれが前記中央直線の両側に平行に延伸されるように配置された２つの第２のバスバー電極と、それぞれが前記中央直線の両側に設けられた２つのフィンガー電極ユニットと、を有し、前記２つのフィンガー電極ユニットは前記第１の表面の前記中心点に対して点対称に配置され、前記フィンガー電極ユニットの各々は互いに平行に線状に延伸されるように形成された複数のフィンガー電極を有し、前記フィンガー電極の各々は、前記第１のバスバー電極及び前記２つの第２のバスバー電極の一方に連結されている第１のフィンガー電極部を有し、前記第１のフィンガー電極部の各々は、前記第１のバスバー電極に対して直角を除く角度で傾くと共に、連結されている前記一方の第２のバスバー電極に対して直角を除く角度で傾くように配置されている受光面電極ユニットと、
を備えていることを特徴とする太陽電池。
【請求項２】
前記第１の表面は、第１のエッジを有し、
前記受光面電極ユニットは、対応する前記第１のエッジに平行に延伸されるように、複数の前記フィンガー電極における少なくとも複数の前記フィンガー電極に連結されるように設けられている第１のサブ電極を有し、
前記第１のサブ電極に連結された複数の前記フィンガー電極は、連結された前記第２のバスバー電極及び前記第１のサブ電極の間に連結された第２のフィンガー電極部を有することを特徴とする、請求項１に記載の太陽電池。
【請求項３】
前記第１のサブ電極とこれに連結された前記第２のフィンガー電極部とは直角を除く角度で連結されていることを特徴とする、請求項２に記載の太陽電池。
【請求項４】
前記フィンガー電極ユニットにおける複数の前記フィンガー電極の前記第１のフィンガー電極部は、互いに同じ間隔をおいて平行に並ぶように配置されていることを特徴とする、請求項１に記載の太陽電池。
【請求項５】
前記フィンガー電極ユニットにおける複数の前記フィンガー電極の前記第１のフィンガー電極部は、互いに同じピッチをおいて平行に並ぶように配置されていることを特徴とする、請求項１に記載の太陽電池。
【請求項６】
前記フィンガー電極ユニットにおける複数の前記フィンガー電極の前記第１のフィンガー電極部は、同じ方向に向かって開口されたVの字形に形成されていることを特徴とする、請求項１に記載の太陽電池。
【請求項７】
前記第１の表面は、前記中央直線の両側に位置する２つの第１のエッジを有し、
前記フィンガー電極の各々は、前記２つの第２のバスバー電極の一方に連結された第２のフィンガー電極部を有し、
前記第２のフィンガー電極部は、連結された前記一方の第２のバスバー電極及び前記２つの第１のエッジの一方の間に配置されていることを特徴とする、請求項１に記載の太陽電池。
【請求項８】
前記フィンガー電極ユニットにおける複数の前記フィンガー電極の前記第２のフィンガー電極部は、互いに同じ間隔をおいて平行に並ぶように配置されていることを特徴とする、請求項７に記載の太陽電池。
【請求項９】
前記フィンガー電極ユニットにおける複数の前記フィンガー電極の前記第２のフィンガー電極部は、互いに同じピッチをおいて平行に並ぶように配置されていることを特徴とする、請求項７に記載の太陽電池。
【請求項１０】
前記フィンガー電極ユニットにおける複数の前記フィンガー電極の前記第２のフィンガー電極部は、同じ方向に向かって開口されたVの字形に形成されていることを特徴とする、請求項７に記載の太陽電池。
【請求項１１】
前記基板は、角型及び類角型のいずれかの形状を有し、
前記第１のバスバー電極と前記２つの第２のバスバー電極は、前記基板の一側辺に平行に延伸されるように配置されていることを特徴とする、請求項１に記載の太陽電池。
【請求項１２】
前記フィンガー電極の各々の前記第１のフィンガー電極部の線幅は、前記第１のバスバー電極の線幅より小さく、連結された前記第２のバスバー電極の線幅よりも小さいことを特徴とする、請求項１に記載の太陽電池。
【請求項１３】
前記受光面電極ユニットは、前記第１の表面の前記中心点に対して点対称に配置されていることを特徴とする、請求項１に記載の太陽電池。
【請求項１４】
互いに上下対向して配置されている第１のプレート状部材及び第２のプレート状部材と、
前記第１のプレート状部材及び前記第２のプレート状部材の間に配列されている請求項１〜１３のいずれか一項に記載の複数の太陽電池と、
前記太陽電池の周りを取り囲むと共に前記第１のプレート状部材及び前記第２のプレート状部材の間に配置されているパッケージ部材とを備えていることを特徴とする太陽電池モジュール。
【考案の詳細な説明】
【技術分野】
【０００１】
本考案は、太陽電池及び太陽電池モジュールに関し、特に結晶系シリコンを用いた太陽電池及び太陽電池モジュールに関する。
【背景技術】
【０００２】
従来より結晶シリコン系太陽電池は、図８に示すように、太陽光のエネルギーを電力に光電変換する電池本体７１と、電池本体７１の両面のそれぞれに積層した受光側の受光面電極ユニット７２と裏面電極ユニット（図示せず）とを備えている。受光面電極ユニット７２は、縦長く延伸して帯状に形成された複数本のバスバー電極７２１と、バスバー電極７２１に垂直に横長に延伸されると共に、互いに平行に並列するようにバスバー電極７２１の間に連結された複数本のフィンガー電極７２２とが設けられている（例えば特許文献１参照）。
【先行技術文献】
【特許文献】
【０００３】
【特許文献１】中国特許第１０３２９６０９６号明細書
【考案の概要】
【考案が解決しようとする課題】
【０００４】
従来の結晶シリコン系太陽電池では、バスバー電極７２１及びフィンガー電極７２２の配置構成によって決められた所定のパターンを有する受光面電極ユニット７２で一定の電流収集効率を得ることができるが、所定の電池のサイズにおいて電流収集効率をより一層高めることが課題となる。
【０００５】
本考案は、新規な構成で所定の電池のサイズにおいて電流収集効率及び光電変換効率の向上を図ることができる太陽電池及び太陽電池モジュールを提供することを目的とする。
【課題を解決するための手段】
【０００６】
上記目的を達成するために、一観点によれば、本考案は、受光面とする第１の表面を有する基板と、前記基板の前記第１の表面に平行に且つ前記第１の表面の中心点を通る中央直線に沿って延伸されるように配置された第１のバスバー電極と、それぞれが前記中央直線の両側に平行に延伸されるように配置された２つの第２のバスバー電極と、それぞれが前記中央直線の両側に設けられた２つのフィンガー電極ユニットと、を有し、前記２つのフィンガー電極ユニットは前記第１の表面の前記中心点に対して点対称に配置され、前記フィンガー電極ユニットの各々は互いに平行に線状に延伸されるように形成された複数のフィンガー電極を有し、前記フィンガー電極の各々は、前記第１のバスバー電極及び前記２つの第２のバスバー電極の一方に連結されている第１のフィンガー電極部を有し、前記第１のフィンガー電極部の各々は、前記第１のバスバー電極に対して直角を除く角度で傾くと共に、連結されている前記一方の第２のバスバー電極に対して直角を除く角度で傾くように配置されている受光面電極ユニットと、を備えていることを特徴とする太陽電池を提供する。
【０００７】
また、他の観点によれば、本考案は、互いに上下対向して配置されている第１のプレート状部材及び第２のプレート状部材と、前記第１のプレート状部材及び前記第２のプレート状部材の間に配列されている複数の本考案に係る太陽電池と、前記太陽電池の周りを取り囲むと共に前記第１のプレート状部材及び前記第２のプレート状部材の間に配置されているパッケージ部材とを備えていることを特徴とする太陽電池モジュールを提供する。
【考案の効果】
【０００８】
本考案に係る太陽電池及び太陽電池モジュールは、バスバー電極に対してフィンガー電極が直角を除く角度で傾くように配置されているので、所定の電池のサイズにおいてフィンガー電極部間の間隔を短縮することができ、電流収集効率及び光電変換効率の向上を図ることができる。
【図面の簡単な説明】
【０００９】
【図１】本考案に係る太陽電池モジュールの第１の実施形態の構成を示す一部断面図である。
【図２】第１の実施形態に係る太陽電池を示す平面図である。
【図３】図２の構成の一部を拡大して示す平面図である。
【図４】図２における線Ａ−Ａの断面図である。
【図５】本考案に係る太陽電池モジュールの第２の実施形態の太陽電池を示す平面図である。
【図６】本考案に係る太陽電池モジュールの第３の実施形態の太陽電池を示す平面図である。
【図７】本考案に係る太陽電池モジュールの第４の実施形態の太陽電池を示す平面図である。
【図８】従来の太陽電池の一例を示す平面図である。
【考案を実施するための形態】
【００１０】
以下、本考案をいくつかの好適な実施の形態をもとに図面を参照しながら説明する。各図面に示される同一または同等の構成要素、部材、処理には、同一の符号を付するものとし、適宜重複した説明は省略する。また、実施の形態は、考案を限定するものではなく例示であって、実施の形態に記述されるすべての特徴やその組み合わせは、必ずしも考案の本質的なものであるとは限らない。
【００１１】
（第１の実施形態）
図１は、本考案に係る太陽電池モジュールの第１の実施形態の構成を示す一部断面図、図２は、第１の実施形態に係る太陽電池の平面図、図３は、図２の構成の一部を拡大して示す平面図、図４は、図２における線Ａ−Ａの断面図である。この太陽電池モジュールは、図示の如く、互いに上下対向して配置されている第１のプレート状部材１及び第２のプレート状部材２と、第１のプレート状部材１及び第２のプレート状部材２の間にアレイ状に配置されている複数の太陽電池３と、複数の太陽電池３の周りを取り囲み、第１のプレート状部材１及び第２のプレート状部材２の間に配置されている少なくとも１つのパッケージ部材４と、隣り合う太陽電池３、３同士を電気的に接続する帯状の導線（ribbon）５とを備えている。
【００１２】
前記第１のプレート状部材１及び第２のプレート状部材２としては、ガラスやプラスチックのプレートを用いることができ、特に制限されない。なお、太陽電池３の受光面側のプレート状部材としては、光透過性を持ったものが必要であるが、両面が受光できる太陽電池とするには、前記第１のプレート状部材１及び第２のプレート状部材２として、両方とも光透過性を持ったものを用いなければならない。パッケージ部材４は、例えば光透過性を有するエチレン酢酸ビニール（ＥＶＡ）コポリマーなどの材料を適切に用いることができ、特に制限されない。
【００１３】
なお、この実施形態において複数の太陽電池３のそれぞれの構成は同じとしており、以下、複数の太陽電池３におけるいずれかの一つについて説明するが、一つの太陽電池モジュールにおいて用いられた電池の構成は同じであってもよく、また異なってもよい。
【００１４】
太陽電池３は、基板３１と、裏面電極ユニット３２と、受光面電極ユニット３３とを含む。
【００１５】
基板３１としては、例えば角型や類角型の基板を用いる。角型とは四角の大きさが全て同じである正方形、長方形などの形状であり、アモルファスシリコンのＳｉ系基板は通常方形状である。類角型とは、例えば４つの長辺及び長辺同士の間に接続された４つの短辺を有し、短辺がアーク形状又は直線である八角形などの形状であり、単結晶シリコンのＳｉ系基板は通常類正方形である。基板３１は、第１の表面３１１と前記第１の表面３１１の反対側の第２の表面３１２を有する。この形態では、第１の表面３１１は受光面であり、第２の表面３１２は第１の表面３１１と背中合わせの裏面である。なお、太陽電池が両面受光型のものであれば、第２の表面３１２も受光可能な面である。
【００１６】
第１の表面３１１は、前記第１の表面３１１の幾何的に中央の位置である中心点３０２と、第１の方向６１に沿って中心点３０２を通るように延伸する中央直線３０１とを有する。また、第１の表面３１１は第１の方向６１に沿って延伸されており中央直線３０１の両側に位置する２つの第１のエッジ３１３と、互いに間隔をおいて第１のエッジ３１３間に位置する２つの第２のエッジ３１４とを有する。中央直線３０１及び２つの第１のエッジ３１３は、第１の方向６１と直角の方向である第２の方向６２に、間隔をおいて並んでいる。２つの第２のエッジ３１４は第２の方向６２に沿って延伸されていると共に、第１の方向に間隔をおいて並んでいる。
【００１７】
基板３１は、その第１の表面３１１の裏側にエミッタ層３１５が配置されており、エミッタ層３１５の上には選択的に反射防止層３１６が形成されてもよい。基板３１とエミッタ層３１５との一方がｎ型半導体、他方がｐ型半導体としてｎ型とｐ型の半導体を接合した構造をもつ。反射防止層３１６は光の反射を抑制して光の入射量を増やすために、例えば窒化ケイ素（ＳｉＮｘ）化合物を用いる。
【００１８】
裏面電極ユニット３２は、基板３１の第２の表面３１２に設けられており、受光面電極ユニット３３と対になって太陽電池の電気エネルギーを外部に出力させる役割をもつ。なお、裏面電極ユニット３２の配置は当該技術分野では既知技術であるため、ここではその詳細は省略する。
【００１９】
受光面電極ユニット３３は、基板３１の第１の表面３１１の表側に、反射防止層３１６を貫通してエミッタ層３１５に接触するように設けられている。受光面電極ユニット３３は、この第１の実施形態では、第１の表面３１１に平行且つ中央直線３０１に沿って延伸されるように配置された第１のバスバー電極３４と、中央直線３０１の両側に平行に延伸されるように配置された第２のバスバー電極３５と、中央直線３０１の両側に配置された２つのフィンガー電極ユニット３６と、２つの線状の第１のサブ電極３７と、２つの線状の第２のサブ電極３８とを有する。この実施形態では、２つのフィンガー電極ユニット３６と２つの第１のサブ電極３７と２つの第２のサブ電極３８は反射防止層３１６を貫通してエミッタ層３１５に接触するように設けられている。
【００２０】
第１のバスバー電極３４と２つの第２のバスバー電極３５は、基板３１の一側辺に平行に延伸されるように、また基板３１の第１の表面３１１の第１のエッジ３１３に平行して延伸されるように設けられている。なお、太陽電池モジュールのパッケージでは、第１のバスバー電極３４と２つの第２のバスバー電極３５はそれぞれ半田付けにより１本の帯状の導線５で接続されている。
【００２１】
受光面電極ユニット３３は、第１の表面３１１の中心点３０２に対して点対称に配置されている。なお、点対称形状に形成されたパターンとは、ある点を取り囲んで前記パターンを１８０度回転させた回転パターンが回転前のパターンと変わらないものである。この形態では、受光面電極ユニット３３は中心点を取り囲んで１８０度回転されてもそのパターンは変わらず、且つ、受光面電極ユニット３３は、線対称形状ではない。線対称形状に形成されたパターンとは、あるパターンを１本の対称直線に対して２つ折りにして該対称直線の両側のパターンを折り畳むことができるものである。受光面電極ユニット３３は、点対称形状に形成されると、太陽電池３が１８０度回転しても回転前のパターンとは変わらないので、電池の設置方向を構わずに設置することができる。従って、太陽電池の設置方向を考慮しなくてもよいので、パッケージを簡単にすることができる。
【００２２】
２つのフィンガー電極ユニット３６は、受光面電極ユニット３３と同様に、線対称ではなく点対称に配置されている。各フィンガー電極ユニット３６は、複数のフィンガー電極３６０を有し、複数のフィンガー電極３６０は、第１の方向６１に沿って間隔をおいて平行に並ぶように設けられており、各フィンガー電極３６０は、第１のバスバー電極３４及び２つの第２のバスバー電極３５の一方に連結されている第１のフィンガー電極部３６１と、２つの第２のバスバー電極３５の一方に連結されている第２のフィンガー電極部３６２とを有する。前記第２のフィンガー電極部３６２は、連結された前記一方の第２のバスバー電極３５及び２つの第１のエッジ３１３の一方の間に配置されている。第１のフィンガー電極部３６１及び第２のフィンガー電極部３６２は、反射防止層３１６を貫通してエミッタ層３１５に接触するように設けられている。
【００２３】
この形態では、各第１のフィンガー電極部３６１は、第１のバスバー電極３４に対して直角を除く角度θ１で傾くと共に、連結されている一方の第２のバスバー電極３５に対して直角を除く角度θ２で傾くように配置されている。θ１とθ２は、直角を除く角度であり、同じであってもよく異なってもよい。この形態では、θ１とθ２とは同じである。第１のフィンガー電極部３６１のそれぞれは、第１の方向６１沿いに開口されたＶの字形に形成されており、それぞれの開口が同じ方向に向くように並んでいる。また、第１のバスバー電極３４の第１の方向６１により区切られた一側（図２では中央直線３０１の左側）の第１のフィンガー電極部３６１は、第１の方向６１沿いの一端に開口されたＶの字形に形成され、他側（図２では中央直線３０１の右側）の第１のフィンガー電極部３６１は、第１の方向６１沿いの他端に開口され、Ｖの字形に形成された一側の第１のフィンガー電極部３６１に対して逆Ｖの字形に形成されている。なお、各フィンガー電極ユニット３６の第１のフィンガー電極部３６１はそれぞれ同じ向きに開口されたＶの字形になってもよく逆Ｖの字形になってもよい。
【００２４】
各フィンガー電極ユニット３６におけるフィンガー電極３６０の第１のフィンガー電極部３６１のそれぞれは、互いに同じ間隔ｄ１、同じピッチｐ１をおいて平行に並ぶように配置されている。隣り合う第１のフィンガー電極部３６１の間隔ｄ１とは、隣り合う第１のフィンガー電極部３６１間の垂直距離、ピッチｐ１とは、隣り合う第１のフィンガー電極部３６１の同じ部位間の垂直距離である。各フィンガー電極３６０の第１のフィンガー電極部３６１の線幅ｗ１は第１のバスバー電極３４の線幅ａより小さく、連結された第２のバスバー電極３５の線幅ｂよりも小さい。
【００２５】
この形態では、各第１のフィンガー電極部３６１は、Ｖの字形に形成されるように、中央直線３０１に近い第１の延伸部分３６３と、第１の延伸部分３６３に対して傾いて中央直線３０１から遠い第２の延伸部分３６４とを有する。なお、各フィンガー電極ユニット３６における複数のフィンガー電極３６０の第１のフィンガー電極部３６１が互いに平行であるとは、複数のフィンガー電極３６０における対応する延伸部分が平行、即ち、複数の第１のフィンガー電極部３６１の第１の延伸部分３６３のそれぞれが互いに平行であり、第２の延伸部分３６４のそれぞれが互いに平行であることである。
【００２６】
各フィンガー電極ユニット３６における複数のフィンガー電極３６０の第２のフィンガー電極部３６２のそれぞれは、第１の方向６１沿いに開口されたＶの字形に形成されており、それぞれの開口が同じ方向に向くように並んでいる。各フィンガー電極ユニット３６の複数の第２のフィンガー電極部３６２は複数の第１のフィンガー電極部３６１と同じ向きに開口されたＶの字形に形成されている。なお、隣り合ったフィンガー電極ユニット３６同士における第２のフィンガー電極部３６２はそれぞれ同じ向きに開口されたＶの字形になってもよく逆Ｖの字形になってもよいが、この形態において、第１のバスバー電極３４の第１の方向６１で区切られた一側（図２では中央直線３０１の左側）の第２のフィンガー電極部３６２は、第１の方向６１沿いの一端に開口されたＶの字形に形成され、他側（図２では中央直線３０１の右側）の第２のフィンガー電極部３６２は、第１の方向６１沿いの他端に開口され、Ｖの字形に形成された一側の第２のフィンガー電極部３６２に対して逆Ｖの字形に形成されている。
【００２７】
各フィンガー電極ユニット３６におけるフィンガー電極３６０の第２のフィンガー電極部３６２のそれぞれは、互いに同じ間隔ｄ２、同じピッチｐ２をおいて平行に並ぶように配置されている。隣り合う第２のフィンガー電極部３６２の間隔ｄ２とは隣り合う第２のフィンガー電極部３６２間の垂直距離、ピッチｐ２とは、隣り合う第２のフィンガー電極部３６２の同じ部位間の垂直距離である。この形態では、各第２のフィンガー電極部３６２は、Ｖの字形に形成されるように中央直線３０１に近い第３の延伸部分３６５と、第３の延伸部分３６５に対して傾いて中央直線３０１から遠い第４の延伸部分３６６とを有する。なお、各フィンガー電極ユニット３６における複数のフィンガー電極３６０の第２のフィンガー電極部３６２は互いに平行であるとは、複数のフィンガー電極３６０における対応する延伸部分が平行、即ち、複数の第２のフィンガー電極部３６２の第３の延伸部分３６５のそれぞれが互いに平行であり、第４の延伸部分３６６のそれぞれが互いに平行であることである。
【００２８】
２つの第１のサブ電極３７はそれぞれ、中央直線３０１の両側にて対応するフィンガー電極ユニット３６及び対応する第１のエッジ３１３の間に配置されると共に、対応する第１のエッジ３１３に平行に第１の方向６１に沿って延伸されるように設けられている。この形態では、２つの第１のサブ電極３７はそれぞれ対応する複数のフィンガー電極３６０の少なくとも複数のフィンガー電極３６０の第２のフィンガー電極部３６２をつなぐように、対応するフィンガー電極ユニット３６に連結されている。第１のサブ電極３７によって、複数のフィンガー電極３６０を繋いでいることにより、より好ましい導電ネットワークを形成することができ、電流収集効率の向上を図ることができる。なお、第２のフィンガー電極部３６２は、連結された対応する第１のサブ電極３７に対して直角を除く角度θ３で傾いて設置されている。
【００２９】
本実施形態では、各第１のサブ電極３７は、連結された対応するフィンガー電極ユニット３６におけるフィンガー電極３６０のそれぞれに連結されているが、これに制限されない。各フィンガー電極ユニット３６における複数のフィンガー電極３６０は第２のフィンガー電極部３６２を有するが、これに制限されず、例えば、第１のサブ電極３７に連結された複数のフィンガー電極３６０が第２のフィンガー電極部３６２を含むようにすればよい。第１のサブ電極３７に連結された複数のフィンガー電極３６０の第２のフィンガー電極部３６２は、連結された第２のバスバー電極３５及び連結された第１のサブ電極３７の間に配置されるように設けられている。
【００３０】
２つの第２のサブ電極３８はそれぞれ、第１のバスバー電極３４及び第２のバスバー電極３５の対応する一端同士および他端同士を連結するように、第１の方向６１沿いに間隔をおいて並ぶと共に、対応する第２のエッジ３１４に平行に第２の方向６２に沿って延伸されるように設けられている。２つの第１のサブ電極３７と２つの第２のサブ電極３８とによって四辺形に形成されていることで、より好ましい導電ネットワークを形成することができ、電流収集効率の向上を図ることができる。
【００３１】
複数のフィンガー電極３６０の第１のフィンガー電極部３６１は第１のバスバー電極３４及び第２のバスバー電極３５に対して垂直ではなく直角を除く角度で傾くように延伸されて設けられているので、従来の太陽電池に対して、隣り合ったフィンガー電極部３６１同士間の最短距離を効果的に短縮することができる。従来の太陽電池における隣り合ったフィンガー電極７２２同士間の距離Ｄ（図８参照）、即ち隣り合った第１のフィンガー電極部３６１が第１のバスバー電極３４と連結された連結点間の距離をＤとしたとき、隣り合う第１のフィンガー電極部３６１間の垂直距離ｄ１との間はｄ１＝Ｄ×ｓｉｎθ１の関係を満たす。このことから、ｄ１＜Ｄと分かる。従って、第１のフィンガー電極部３６１を第１のバスバー電極３４及び第２のバスバー電極３５に対して垂直ではなく直角を除く角度で傾くように延伸されて設けていることによって、所定の電池のサイズにおいて隣り合ったフィンガー電極３６０同士の間隔を短縮することができる。隣り合ったフィンガー電極３６０同士の間隔を短縮することによって、隣り合ったフィンガー電極３６０間のキャリア伝達距離を短縮することができる。これによって、所定の電池のサイズにおいてキャリア伝達効率を高めることができ、電池の表面において電流を効率的に吸収することができるので、電流収集効率及び光電変換効率の向上を図ることができる。また、２つのフィンガー電極ユニット３６は中心点３０２に対して点対称に配置されているので、パッケージするのを簡易化できる。
【００３２】
（第２の実施形態）
図５は、本考案に係る太陽電池モジュールの第２の実施形態の太陽電池を示す平面図である。
【００３３】
第２の実施形態において、上記第１の実施形態と違うところは、２つのフィンガー電極ユニット３６における複数の第１のフィンガー電極部３６１と、複数の第２のフィンガー電極部３６２とが、互いに反対の向きに開口されたＶの字形に形成されている点にある。受光面電極ユニット３３は、第１の実施形態と同様に、中心点３０２に対して点対称形状に形成されている。
【００３４】
第２の実施形態に係る太陽電池を備えて構成された太陽電池モジュールは、第１の実施形態と同様に、電池の表面において電流を効率的に吸収することができるので、所定の電池のサイズにおいて電流収集効率及び光電変換効率の向上を図ることができ、また、パッケージを簡易化できる。
【００３５】
（第３の実施形態）
図６は、本考案に係る太陽電池モジュールの第３の実施形態の太陽電池を示す平面図である。
【００３６】
第３の実施形態において、中央直線３０１の左側の複数の第１のフィンガー電極部３６１と第２のフィンガー電極部３６２とは同じ向きに開口された逆Vの字形に形成され、中央直線３０１の右側の複数の第１のフィンガー電極部３６１と第２のフィンガー電極部３６２とは同じ向きに開口されたＶの字形に形成されている。また、受光面電極ユニット３３は、第１の実施形態及び第２の実施形態と同様に、中心点３０２に対して点対称形状に形成されている。
【００３７】
第３の実施形態のように構成された太陽電池モジュールは、第１、第２の実施形態と同様な効果が得られる。
【００３８】
（第４の実施形態）
図７は、本考案に係る太陽電池モジュールの第４の実施形態の太陽電池を示す平面図である。
【００３９】
第１のバスバー電極３４と２つの第２のバスバー電極３５は、互いに所定の間隔をおいて第１の方向６１沿いに延伸されるように配置され、各第１のフィンガー電極部３６１と各第２のフィンガー電極３６２とは第１のバスバー電極３４に対しても第２のバスバー電極３５に対しても第１の方向６１に平行せず、且つ第２の方向６２に平行せずに直角を除く角度で傾くように線状に延伸されて配置されている。各フィンガー電極ユニット３６における複数の第１のフィンガー電極部３６１は互いに平行に、同じ間隔、同じピッチで設けられている。各フィンガー電極ユニット３６における複数の第２のフィンガー電極部３６２は互いに平行に、同じ間隔、同じピッチで設けられている。また、受光面電極ユニット３３は、上記の実施形態と同様に、中心点３０２に対して点対称形状に形成されている。
【００４０】
第４の実施形態のように構成された太陽電池モジュールは、第１から第３の実施形態と同様な効果が得られる。
【００４１】
以上のように構成された本考案に係る太陽電池及び太陽電池モジュールは、バスバー電極に対してフィンガー電極が直角を除く角度で傾くように配置されているので、所定の電池のサイズにおいてフィンガー電極部間の間隔を短縮することができ、電流収集効率及び光電変換効率の向上を図ることができる。
【産業上の利用可能性】
【００４２】
本考案に係る太陽電池は、その電気特性の向上を図る太陽電池として有用である。
【符号の説明】
【００４３】
１  第１のプレート状部材
２  第２のプレート状部材
３  太陽電池
４  パッケージ部材
５  導線
３１  基板
３２  裏面電極ユニット
３３  受光面電極ユニット
３４  第１のバスバー電極
３５  第２のバスバー電極
３６  フィンガー電極ユニット
３７  第１のサブ電極
３８  第２のサブ電極
６１  第１の方向
６２  第２の方向
３０１  中央直線
３０２  中心点
３１１  第１の表面
３１２  第２の表面
３１３  第１のエッジ
３１４  第２のエッジ
３１５  エミッタ層
３１６  反射防止層
３６０  フィンガー電極
３６１  第１のフィンガー電極部
３６２  第２のフィンガー電極部
３６３  第１の延伸部分
３６４  第２の延伸部分
３６５  第３の延伸部分
３６６  第４の延伸部分
【図１】
0003189986.tif 000003
【図２】
0003189986.tif 000004
【図３】
0003189986.tif 000005
【図４】
0003189986.tif 000006
【図５】
0003189986.tif 000007
【図６】
0003189986.tif 000008
【図７】
0003189986.tif 000009
【図８】
0003189986.tif 000010